(57)【要約】【課題】本発明は収納できるＵＳＢ扇風機を開示した。【解決手段】本発明は収納できるＵＳＢ扇風機を開示し、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、ＵＳＢケーブル前記収納機構の下側には切替機構が設置され、この装置は使用が簡単で、設計が巧く、ＵＳＢ扇風機の基本機能を満足した上でＵＳＢケーブルを収納でき、更に便利な携帯を実現でき且つ損害を受けにくく、装置の使用寿命を延ばす。【選択図】図１
2020172918.tif 000002
【特許請求の範囲】
【請求項１】
収納できるＵＳＢ扇風機であって、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、ＵＳＢケーブル前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができることを特徴とする収納できるＵＳＢ扇風機。
【請求項２】
前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されていることを特徴とする請求項１に記載の収納できるＵＳＢ扇風機。
【請求項３】
前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降溝がスライドできるように設置され、前記昇降溝の前端にはＵ型ブロックが固定され、前記回転ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、前記左側ロープと前記支持ブロックの上端面とが固定されており、前記右側ロープと前記回転ブロックの上端面とが固定されていることを特徴とする請求項１に記載の収納できるＵＳＢ扇風機。
【発明の詳細な説明】
【技術分野】
【０００１】
本発明は温度下げ機械の分野を取り上げて、具体的には収納できるＵＳＢ扇風機である。
【背景技術】
【０００２】
ＵＳＢ扇風機は小型扇風機であり、伝統的な扇風機より、ＵＳＢ扇風機はＵＳＢデータ線を使ってパソコンと、モバイルバッテリー等の電器に差し込んで作動し、便利であり、ところが現有のＵＳＢ扇風機はより長いデータ線を使って、一般的には巻く形で、収納と解放に不便で、収納しないとダメージを受けたり他の物体に巻き付いたりしやすい。
【先行技術文献】
【特許文献】
【０００３】
【特許文献１】中国特許出願公開第１０９１３９５２２号明細書
【発明の概要】
【発明が解決しようとする課題】
【０００４】
本発明の目的は収納できるＵＳＢ扇風機を提供し、上記背景技術に提出した問題を解決できる。
【課題を解決するための手段】
【０００５】
本発明の収納できるＵＳＢ扇風機は、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、ＵＳＢケーブル前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができる。
【０００６】
更なる技術方案、前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されている。
【０００７】
更なる技術方案、前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降溝がスライドできるように設置され、前記昇降溝の前端にはＵ型ブロックが固定され、前記回転ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、前記左側ロープと前記支持ブロックの上端面とが固定されており、前記右側ロープと前記回転ブロックの上端面とが固定されている。
【発明の効果】
【０００８】
本発明の有益な効果は下記の通りである：
【０００９】
この装置は使用が簡単で、設計が巧く、ＵＳＢ扇風機の基本機能を満足した上でＵＳＢケーブルを収納でき、更に便利な携帯を実現でき且つ損害を受けにくく、装置の使用寿命を延ばす。
【図面の簡単な説明】
【００１０】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【図１】図１は本発明の収納できるＵＳＢ扇風機の全体断面正面構造模式図
【図２】図２は本発明の収納できるＵＳＢ扇風機の回転ブロックの拡大構造模式図
【図３】図３は本発明の収納できるＵＳＢ扇風機のラチェットの正面断面構造模式図
【図４】図４は本発明の収納できるＵＳＢ扇風機の支持ブロックの上面構造模式図
【図５】図５は本発明の収納できるＵＳＢ扇風機のラチェットの左面の断面構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の収納できるＵＳＢ扇風機は、台座１０を含み、前記台座１０の中には収納機構６０が設置され、前記収納機構６０はＵＳＢケーブル２７と、線収納ブロック２８と、駆動歯車３０と、従動歯車２６とを含み、前記駆動歯車３０と前記従動歯車２６との噛合によって、前記線収納ブロック２８の回転により前記ＵＳＢケーブル２７を巻き又は解放でき、前記収納機構６０はラチェット３９と装置に電力を提供するＵＳＢコネクタ１８とを含み、前記収納機構６０は扇風機モーター１６と羽根１４とを含み、前記ＵＳＢケーブル２７は前記扇風機モーター１６に電力を伝動し、それにより前記羽根１４を回転連動させ、ＵＳＢケーブル前記収納機構６０の下側には切替機構６１が設置され、前記切替機構６１は回転ブロック３１と、支持ブロック３３と、弾性ブロック３８とを含み、前記弾性ブロック３８は前記ラチェット３９を一方向だけに回転させ、前記支持ブロック３３と前記回転ブロック３１とはともに装置を支持し、前記切替機構６１はＵ型ブロック３７と二つの垂直ブロック４６とを含み、前記二つの垂直ブロック４６が相互に接近し又は離れる時前記Ｕ型ブロック３７を上下に運動連動させることができる。
【００１３】
有益なように、前記収納機構６０はリール２３を含み、前記台座１０の中には駆動空間１１が設置され、前記駆動空間１１の右端壁には巻線空間２２が設置され、前記巻線空間２２の上端壁の中には外部空間に連通した保存溝１９が設置され、前記駆動空間１１の左端壁と前記巻線空間２２の右端壁との間には巻線軸４１が回転できるように設置され、前記巻線空間２２の中の前記巻線軸４１にはリール２３が固定され、前記駆動空間１１の中の巻線軸４１には従動歯車２６が固定され、前記従動歯車２６の左側には前記巻線軸４１と固定された前記ラチェット３９が設置され、
それに、前記リール２３にはＵＳＢケーブル２７が巻き付いており、前記リール２３の左端面には収納溝２５が設置され、前記ＵＳＢケーブル２７が前記収納溝２５を貫通しており、前記台座１０の中には扇風機モーター１６が植設され、前記扇風機モーター１６の右端面には前記ＵＳＢケーブル２７と連通した導電棒１７が固定され、前記台座１０の左端面には扇風機カバー１２が固定され、前記扇風機モーター１６の左端面には前記扇風機カバー１２の中に位置した扇風機軸１３が伝動できるように連結され、前記扇風機軸１３には四つの羽根１４が均一に固定し、前記保存溝１９の中には前記ＵＳＢコネクタ１８が設置され、前記ＵＳＢコネクタ１８と前記ＵＳＢケーブル２７とが連通し合い、前記台座１０の中には駆動軸２９が回転できるように設置され、前記外部空間の中の駆動軸２９には四つの線収納ブロック２８が均一に固定され、前記駆動軸２９の左端には上端と前記従動歯車２６の下端とが噛合した駆動歯車３０が固定されている。
【００１４】
有益なように、前記切替機構６１は支持ブロック３３を含み、前記駆動空間１１の下端壁には外部空間に連通した底溝３５が設置され、前記底溝３５の後端壁には定位棒４４が固定され、前記定位棒４４には前記支持ブロック３３と前記回転ブロック３１とが回転できるように設置され、前記支持ブロック３３と前記回転ブロック３１との間にはねじりばね４５が設置され、前記支持ブロック３３の下端面には環状ブロック３４が固定され、前記回転ブロック３１の下端面には置きチャンバ５４が設置され、前記置きチャンバ５２の左端壁には抵抗溝５５が設置され、前記抵抗溝５５の左端壁には抵抗撥条５４が固定され、前記抵抗撥条５４の右端には三角ブロック５３が固定され、前記置きチャンバ５２の後端壁には位置制限軸５０が回転できるように設置され、
それに前記位置制限軸５０にはフック棒５１が固定され、前記駆動空間１１の後端壁には昇降溝４０が設置され、前記昇降溝４０の下端壁の中には二つの横溝３６が左右に対称的に設置され、前記昇降溝４０の中には昇降溝４２がスライドできるように設置され、前記昇降溝４２の前端にはＵ型ブロック３７が固定され、前記回転ブロック３１の中には方形溝４３が設置され、前記方形溝４３の上下端壁には二つの弾性溝５７が対称的に設置され、下側の前記弾性溝５７の下端壁には弾性撥条５６が固定され、前記弾性撥条５６の上端には弾性ブロック３８が固定され、右側の前記横溝３６の右端壁には移動撥条３２が固定され、前記移動撥条３２の左端には前記横溝３６とスライドできるように連結された移動ブロック４８が固定され、前記移動ブロック４８の前端には垂直ブロック４６が固定され、前記垂直ブロック４６の前端面には斜め棒４７が回転できるように設置され、二つの前記斜め棒４７の間が回転できるように連結され且ついずれも前記Ｕ型ブロック３７の前端面と回転できるように連結され、前記垂直ブロック４６の下端面にはロープ４９が固定され、前記左側ロープ４９と前記支持ブロック３３の上端面とが固定されており、前記右側ロープ４９と前記回転ブロック３１の上端面とが固定されている。
【００１５】
以下、付図１−５及び上記の本願発明の収納できるＵＳＢ扇風機の具体的な構造を参考してその使い方を詳しく説明する：
【００１６】
ＵＳＢ扇風機を使う時、支持ブロック３３と回転ブロック３１とを回転させ、フック棒５１を動かして環状ブロック３４を引っ掛けて三角形に形成して支持し、支持ブロック３３と回転ブロック３１とがロープ４９によって垂直ブロック４６を引っ張って相互に離れさせ、Ｕ型ブロック３７を降下連動させ、それにより下側の弾性ブロック３８をラチェット３９から離脱させ、ラチェット３９が上側の弾性ブロック３８のところに運動し、この時、ＵＳＢコネクタ１８を引っ張ってＵＳＢ端子に差し込んで扇風機モーター１６に電力を提供し、それにより羽根１４を回転させる；
【００１７】
ＵＳＢ扇風機を持ち歩く時、ＵＳＢコネクタを抜き、フック棒５１を環状ブロック３４の中から離脱させ、ラチェット３９を連動させて下側の弾性ブロック３８のところに運動させ、上側の弾性ブロック３８がラチェット３９から離脱し、この時反方向に線収納ブロック２８を回し、駆動歯車３０と従動歯車２６との噛合によってリール２３を連動させてＵＳＢケーブル２７を巻き、ＵＳＢコネクタ１８を引き戻す。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020172918.tif 000003
【図２】
2020172918.tif 000004
【図３】
2020172918.tif 000005
【図４】
2020172918.tif 000006
【図５】
2020172918.tif 000007
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
収納できるＵＳＢ扇風機であって、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、ＵＳＢケーブル前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができることを特徴とする収納できるＵＳＢ扇風機。
【請求項２】
前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されていることを特徴とする請求項１に記載の収納できるＵＳＢ扇風機。
【請求項３】
前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降溝がスライドできるように設置され、前記昇降溝の前端にはＵ型ブロックが固定され、前記回転ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、左側の前記ロープと前記支持ブロックの上端面とが固定されており、右側の前記ロープと前記回転ブロックの上端面とが固定されていることを特徴とする請求項２に記載の収納できるＵＳＢ扇風機。
【手続補正２】
【補正対象書類名】明細書
【補正対象項目名】全文
【補正方法】変更
【補正の内容】
【発明の詳細な説明】
【技術分野】
【０００１】
本発明は温度下げ機械の分野を取り上げて、具体的には収納できるＵＳＢ扇風機である。
【背景技術】
【０００２】
ＵＳＢ扇風機は小型扇風機であり、伝統的な扇風機より、ＵＳＢ扇風機はＵＳＢデータ線を使ってパソコンと、モバイルバッテリー等の電器に差し込んで作動し、便利であり、ところが現有のＵＳＢ扇風機はより長いデータ線を使って、一般的には巻く形で、収納と解放に不便で、収納しないとダメージを受けたり他の物体に巻き付いたりしやすい。
【先行技術文献】
【特許文献】
【０００３】
【特許文献１】中国特許出願公開第１０９１３９５２２号明細書
【発明の概要】
【発明が解決しようとする課題】
【０００４】
本発明の目的は収納できるＵＳＢ扇風機を提供し、上記背景技術に提出した問題を解決できる。
【課題を解決するための手段】
【０００５】
本発明の収納できるＵＳＢ扇風機は、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、ＵＳＢケーブル前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができる。
【０００６】
更なる技術方案、前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されている。
【０００７】
更なる技術方案、前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降溝がスライドできるように設置され、前記昇降溝の前端にはＵ型ブロックが固定され、前記回転ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、左側の前記ロープと前記支持ブロックの上端面とが固定されており、右側の前記ロープと前記回転ブロックの上端面とが固定されている。
【発明の効果】
【０００８】
本発明の有益な効果は下記の通りである：
【０００９】
この装置は使用が簡単で、設計が巧く、ＵＳＢ扇風機の基本機能を満足した上でＵＳＢケーブルを収納でき、更に便利な携帯を実現でき且つ損害を受けにくく、装置の使用寿命を延ばす。
【図面の簡単な説明】
【００１０】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【図１】図１は本発明の収納できるＵＳＢ扇風機の全体断面正面構造模式図
【図２】図２は本発明の収納できるＵＳＢ扇風機の回転ブロックの拡大構造模式図
【図３】図３は本発明の収納できるＵＳＢ扇風機のラチェットの正面断面構造模式図
【図４】図４は本発明の収納できるＵＳＢ扇風機の支持ブロックの上面構造模式図
【図５】図５は本発明の収納できるＵＳＢ扇風機のラチェットの左面の断面構造模式    図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の収納できるＵＳＢ扇風機は、台座１０を含み、前記台座１０の中には収納機構６０が設置され、前記収納機構６０はＵＳＢケーブル２７と、線収納ブロック２８と、駆動歯車３０と、従動歯車２６とを含み、前記駆動歯車３０と前記従動歯車２６との噛合によって、前記線収納ブロック２８の回転により前記ＵＳＢケーブル２７を巻き又は解放でき、前記収納機構６０はラチェット３９と装置に電力を提供するＵＳＢコネクタ１８とを含み、前記収納機構６０は扇風機モーター１６と羽根１４とを含み、前記ＵＳＢケーブル２７は前記扇風機モーター１６に電力を伝動し、それにより前記羽根１４を回転連動させ、ＵＳＢケーブル前記収納機構６０の下側には切替機構６１が設置され、前記切替機構６１は回転ブロック３１と、支持ブロック３３と、弾性ブロック３８とを含み、前記弾性ブロック３８は前記ラチェット３９を一方向だけに回転させ、前記支持ブロック３３と前記回転ブロック３１とはともに装置を支持し、前記切替機構６１はＵ型ブロック３７と二つの垂直ブロック４６とを含み、前記二つの垂直ブロック４６が相互に接近し又は離れる時前記Ｕ型ブロック３７を上下に運動連動させることができる。
【００１３】
有益なように、前記収納機構６０はリール２３を含み、前記台座１０の中には駆動空間１１が設置され、前記駆動空間１１の右端壁には巻線空間２２が設置され、前記巻線空間２２の上端壁の中には外部空間に連通した保存溝１９が設置され、前記駆動空間１１の左端壁と前記巻線空間２２の右端壁との間には巻線軸４１が回転できるように設置され、前記巻線空間２２の中の前記巻線軸４１にはリール２３が固定され、前記駆動空間１１の中の巻線軸４１には従動歯車２６が固定され、前記従動歯車２６の左側には前記巻線軸４１と固定された前記ラチェット３９が設置され、
それに、前記リール２３にはＵＳＢケーブル２７が巻き付いており、前記リール２３の左端面には収納溝２５が設置され、前記ＵＳＢケーブル２７が前記収納溝２５を貫通しており、前記台座１０の中には扇風機モーター１６が植設され、前記扇風機モーター１６の右端面には前記ＵＳＢケーブル２７と連通した導電棒１７が固定され、前記台座１０の左端面には扇風機カバー１２が固定され、前記扇風機モーター１６の左端面には前記扇風機カバー１２の中に位置した扇風機軸１３が伝動できるように連結され、前記扇風機軸１３には四つの羽根１４が均一に固定し、前記保存溝１９の中には前記ＵＳＢコネクタ１８が設置され、前記ＵＳＢコネクタ１８と前記ＵＳＢケーブル２７とが連通し合い、前記台座１０の中には駆動軸２９が回転できるように設置され、前記外部空間の中の駆動軸２９には四つの線収納ブロック２８が均一に固定され、前記駆動軸２９の左端には上端と前記従動歯車２６の下端とが噛合した駆動歯車３０が固定されている。
【００１４】
有益なように、前記切替機構６１は支持ブロック３３を含み、前記駆動空間１１の下端壁には外部空間に連通した底溝３５が設置され、前記底溝３５の後端壁には定位棒４４が固定され、前記定位棒４４には前記支持ブロック３３と前記回転ブロック３１とが回転できるように設置され、前記支持ブロック３３と前記回転ブロック３１との間にはねじりばね４５が設置され、前記支持ブロック３３の下端面には環状ブロック３４が固定され、前記回転ブロック３１の下端面には置きチャンバ５４が設置され、前記置きチャンバ５２の左端壁には抵抗溝５５が設置され、前記抵抗溝５５の左端壁には抵抗撥条５４が固定され、前記抵抗撥条５４の右端には三角ブロック５３が固定され、前記置きチャンバ５２の後端壁には位置制限軸５０が回転できるように設置され、
それに前記位置制限軸５０にはフック棒５１が固定され、前記駆動空間１１の後端壁には昇降溝４０が設置され、前記昇降溝４０の下端壁の中には二つの横溝３６が左右に対称的に設置され、前記昇降溝４０の中には昇降溝４２がスライドできるように設置され、前記昇降溝４２の前端にはＵ型ブロック３７が固定され、前記回転ブロック３１の中には方形溝４３が設置され、前記方形溝４３の上下端壁には二つの弾性溝５７が対称的に設置され、下側の前記弾性溝５７の下端壁には弾性撥条５６が固定され、前記弾性撥条５６の上端には弾性ブロック３８が固定され、右側の前記横溝３６の右端壁には移動撥条３２が固定され、前記移動撥条３２の左端には前記横溝３６とスライドできるように連結された移動ブロック４８が固定され、前記移動ブロック４８の前端には垂直ブロック４６が固定され、前記垂直ブロック４６の前端面には斜め棒４７が回転できるように設置され、二つの前記斜め棒４７の間が回転できるように連結され且ついずれも前記Ｕ型ブロック３７の前端面と回転できるように連結され、前記垂直ブロック４６の下端面にはロープ４９が固定され、左側の前記ロープ４９と前記支持ブロック３３の上端面とが固定されており、右側の前記ロープ４９と前記回転ブロック３１の上端面とが固定されている。
【００１５】
以下、付図１−５及び上記の本願発明の収納できるＵＳＢ扇風機の具体的な構造を参考してその使い方を詳しく説明する：
【００１６】
ＵＳＢ扇風機を使う時、支持ブロック３３と回転ブロック３１とを回転させ、フック棒５１を動かして環状ブロック３４を引っ掛けて三角形に形成して支持し、支持ブロック３３と回転ブロック３１とがロープ４９によって垂直ブロック４６を引っ張って相互に離れさせ、Ｕ型ブロック３７を降下連動させ、それにより下側の弾性ブロック３８をラチェット３９から離脱させ、ラチェット３９が上側の弾性ブロック３８のところに運動し、この時、ＵＳＢコネクタ１８を引っ張ってＵＳＢ端子に差し込んで扇風機モーター１６に電力を提供し、それにより羽根１４を回転させる；
【００１７】
ＵＳＢ扇風機を持ち歩く時、ＵＳＢコネクタを抜き、フック棒５１を環状ブロック３４の中から離脱させ、ラチェット３９を連動させて下側の弾性ブロック３８のところに運動させ、上側の弾性ブロック３８がラチェット３９から離脱し、この時反方向に線収納ブロック２８を回し、駆動歯車３０と従動歯車２６との噛合によってリール２３を連動させてＵＳＢケーブル２７を巻き、ＵＳＢコネクタ１８を引き戻す。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
収納できるＵＳＢ扇風機であって、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができることを特徴とする収納できるＵＳＢ扇風機。
【請求項２】
前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されていることを特徴とする請求項１に記載の収納できるＵＳＢ扇風機。
【請求項３】
前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降ブロックがスライドできるように設置され、前記昇降ブロックの前端にはＵ型ブロックが固定され、前記Ｕ型ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、左側の前記ロープと前記支持ブロックの上端面とが固定されており、右側の前記ロープと前記回転ブロックの上端面とが固定されていることを特徴とする請求項２に記載の収納できるＵＳＢ扇風機。
【手続補正２】
【補正対象書類名】明細書
【補正対象項目名】全文
【補正方法】変更
【補正の内容】
【発明の詳細な説明】
【技術分野】
【０００１】
本発明は温度下げ機械の分野を取り上げて、具体的には収納できるＵＳＢ扇風機である。
【背景技術】
【０００２】
ＵＳＢ扇風機は小型扇風機であり、伝統的な扇風機より、ＵＳＢ扇風機はＵＳＢデータ線を使ってパソコンと、モバイルバッテリー等の電器に差し込んで作動し、便利であり、ところが現有のＵＳＢ扇風機はより長いデータ線を使って、一般的には巻く形で、収納と解放に不便で、収納しないとダメージを受けたり他の物体に巻き付いたりしやすい。
【先行技術文献】
【特許文献】
【０００３】
【特許文献１】中国特許出願公開第１０９１３９５２２号明細書
【発明の概要】
【発明が解決しようとする課題】
【０００４】
本発明の目的は収納できるＵＳＢ扇風機を提供し、上記背景技術に提出した問題を解決できる。
【課題を解決するための手段】
【０００５】
本発明の収納できるＵＳＢ扇風機は、台座を含み、前記台座の中には収納機構が設置され、前記収納機構はＵＳＢケーブルと、線収納ブロックと、駆動歯車と、従動歯車とを含み、前記駆動歯車と前記従動歯車との噛合によって、前記線収納ブロックの回転により前記ＵＳＢケーブルを巻き又は解放でき、前記収納機構はラチェットと装置に電力を提供するＵＳＢコネクタとを含み、前記収納機構は扇風機モーターと羽根とを含み、前記ＵＳＢケーブルは前記扇風機モーターに電力を伝動し、それにより前記羽根を回転連動させ、前記収納機構の下側には切替機構が設置され、前記切替機構は回転ブロックと、支持ブロックと、弾性ブロックとを含み、前記弾性ブロックは前記ラチェットを一方向だけに回転させ、前記支持ブロックと前記回転ブロックとはともに装置を支持し、前記切替機構はＵ型ブロックと二つの垂直ブロックとを含み、前記二つの垂直ブロックが相互に接近し又は離れる時前記Ｕ型ブロックを上下に運動連動させることができる。
【０００６】
更なる技術方案、前記収納機構はリールを含み、前記台座の中には駆動空間が設置され、前記駆動空間の右端壁には巻線空間が設置され、前記巻線空間の上端壁の中には外部空間に連通した保存溝が設置され、前記駆動空間の左端壁と前記巻線空間の右端壁との間には巻線軸が回転できるように設置され、前記巻線空間の中の前記巻線軸にはリールが固定され、前記駆動空間の中の巻線軸には従動歯車が固定され、前記従動歯車の左側には前記巻線軸と固定された前記ラチェットが設置され、
それに、前記リールにはＵＳＢケーブルが巻き付いており、前記リールの左端面には収納溝が設置され、前記ＵＳＢケーブルが前記収納溝を貫通しており、前記台座の中には扇風機モーターが植設され、前記扇風機モーターの右端面には前記ＵＳＢケーブルと連通した導電棒が固定され、前記台座の左端面には扇風機カバーが固定され、前記扇風機モーターの左端面には前記扇風機カバーの中に位置した扇風機軸が伝動できるように連結され、前記扇風機軸には四つの羽根が均一に固定し、前記保存溝の中には前記ＵＳＢコネクタが設置され、前記ＵＳＢコネクタと前記ＵＳＢケーブルとが連通し合い、前記台座の中には駆動軸が回転できるように設置され、前記外部空間の中の駆動軸には四つの線収納ブロックが均一に固定され、前記駆動軸の左端には上端と前記従動歯車の下端とが噛合した駆動歯車が固定されている。
【０００７】
更なる技術方案、前記切替機構は支持ブロックを含み、前記駆動空間の下端壁には外部空間に連通した底溝が設置され、前記底溝の後端壁には定位棒が固定され、前記定位棒には前記支持ブロックと前記回転ブロックとが回転できるように設置され、前記支持ブロックと前記回転ブロックとの間にはねじりばねが設置され、前記支持ブロックの下端面には環状ブロックが固定され、前記回転ブロックの下端面には置きチャンバが設置され、前記置きチャンバの左端壁には抵抗溝が設置され、前記抵抗溝の左端壁には抵抗撥条が固定され、前記抵抗撥条の右端には三角ブロックが固定され、前記置きチャンバの後端壁には位置制限軸が回転できるように設置され、
それに前記位置制限軸にはフック棒が固定され、前記駆動空間の後端壁には昇降溝が設置され、前記昇降溝の下端壁の中には二つの横溝が左右に対称的に設置され、前記昇降溝の中には昇降ブロックがスライドできるように設置され、前記昇降ブロックの前端にはＵ型ブロックが固定され、前記Ｕ型ブロックの中には方形溝が設置され、前記方形溝の上下端壁には二つの弾性溝が対称的に設置され、下側の前記弾性溝の下端壁には弾性撥条が固定され、前記弾性撥条の上端には弾性ブロックが固定され、右側の前記横溝の右端壁には移動撥条が固定され、前記移動撥条の左端には前記横溝とスライドできるように連結された移動ブロックが固定され、前記移動ブロックの前端には垂直ブロックが固定され、前記垂直ブロックの前端面には斜め棒が回転できるように設置され、二つの前記斜め棒の間が回転できるように連結され且ついずれも前記Ｕ型ブロックの前端面と回転できるように連結され、前記垂直ブロックの下端面にはロープが固定され、左側の前記ロープと前記支持ブロックの上端面とが固定されており、右側の前記ロープと前記回転ブロックの上端面とが固定されている。
【発明の効果】
【０００８】
本発明の有益な効果は下記の通りである：
【０００９】
この装置は使用が簡単で、設計が巧く、ＵＳＢ扇風機の基本機能を満足した上でＵＳＢケーブルを収納でき、更に便利な携帯を実現でき且つ損害を受けにくく、装置の使用寿命を延ばす。
【図面の簡単な説明】
【００１０】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【図１】図１は本発明の収納できるＵＳＢ扇風機の全体断面正面構造模式図
【図２】図２は本発明の収納できるＵＳＢ扇風機の回転ブロックの拡大構造模式図
【図３】図３は本発明の収納できるＵＳＢ扇風機のラチェットの正面断面構造模式図
【図４】図４は本発明の収納できるＵＳＢ扇風機の支持ブロックの上面構造模式図
【図５】図５は本発明の収納できるＵＳＢ扇風機のラチェットの左面の断面構造模式    図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の収納できるＵＳＢ扇風機は、台座１０を含み、前記台座１０の中には収納機構６０が設置され、前記収納機構６０はＵＳＢケーブル２７と、線収納ブロック２８と、駆動歯車３０と、従動歯車２６とを含み、前記駆動歯車３０と前記従動歯車２６との噛合によって、前記線収納ブロック２８の回転により前記ＵＳＢケーブル２７を巻き又は解放でき、前記収納機構６０はラチェット３９と装置に電力を提供するＵＳＢコネクタ１８とを含み、前記収納機構６０は扇風機モーター１６と羽根１４とを含み、前記ＵＳＢケーブル２７は前記扇風機モーター１６に電力を伝動し、それにより前記羽根１４を回転連動させ、前記収納機構６０の下側には切替機構６１が設置され、前記切替機構６１は回転ブロック３１と、支持ブロック３３と、弾性ブロック３８とを含み、前記弾性ブロック３８は前記ラチェット３９を一方向だけに回転させ、前記支持ブロック３３と前記回転ブロック３１とはともに装置を支持し、前記切替機構６１はＵ型ブロック３７と二つの垂直ブロック４６とを含み、前記二つの垂直ブロック４６が相互に接近し又は離れる時前記Ｕ型ブロック３７を上下に運動連動させることができる。
【００１３】
有益なように、前記収納機構６０はリール２３を含み、前記台座１０の中には駆動空間１１が設置され、前記駆動空間１１の右端壁には巻線空間２２が設置され、前記巻線空間２２の上端壁の中には外部空間に連通した保存溝１９が設置され、前記駆動空間１１の左端壁と前記巻線空間２２の右端壁との間には巻線軸４１が回転できるように設置され、前記巻線空間２２の中の前記巻線軸４１にはリール２３が固定され、前記駆動空間１１の中の巻線軸４１には従動歯車２６が固定され、前記従動歯車２６の左側には前記巻線軸４１と固定された前記ラチェット３９が設置され、
それに、前記リール２３にはＵＳＢケーブル２７が巻き付いており、前記リール２３の左端面には収納溝２５が設置され、前記ＵＳＢケーブル２７が前記収納溝２５を貫通しており、前記台座１０の中には扇風機モーター１６が植設され、前記扇風機モーター１６の右端面には前記ＵＳＢケーブル２７と連通した導電棒１７が固定され、前記台座１０の左端面には扇風機カバー１２が固定され、前記扇風機モーター１６の左端面には前記扇風機カバー１２の中に位置した扇風機軸１３が伝動できるように連結され、前記扇風機軸１３には四つの羽根１４が均一に固定し、前記保存溝１９の中には前記ＵＳＢコネクタ１８が設置され、前記ＵＳＢコネクタ１８と前記ＵＳＢケーブル２７とが連通し合い、前記台座１０の中には駆動軸２９が回転できるように設置され、前記外部空間の中の駆動軸２９には四つの線収納ブロック２８が均一に固定され、前記駆動軸２９の左端には上端と前記従動歯車２６の下端とが噛合した駆動歯車３０が固定されている。
【００１４】
有益なように、前記切替機構６１は支持ブロック３３を含み、前記駆動空間１１の下端壁には外部空間に連通した底溝３５が設置され、前記底溝３５の後端壁には定位棒４４が固定され、前記定位棒４４には前記支持ブロック３３と前記回転ブロック３１とが回転できるように設置され、前記支持ブロック３３と前記回転ブロック３１との間にはねじりばね４５が設置され、前記支持ブロック３３の下端面には環状ブロック３４が固定され、前記回転ブロック３１の下端面には置きチャンバ５４が設置され、前記置きチャンバ５２の左端壁には抵抗溝５５が設置され、前記抵抗溝５５の左端壁には抵抗撥条５４が固定され、前記抵抗撥条５４の右端には三角ブロック５３が固定され、前記置きチャンバ５２の後端壁には位置制限軸５０が回転できるように設置され、
それに前記位置制限軸５０にはフック棒５１が固定され、前記駆動空間１１の後端壁には昇降溝４０が設置され、前記昇降溝４０の下端壁の中には二つの横溝３６が左右に対称的に設置され、前記昇降溝４０の中には昇降ブロック４２がスライドできるように設置され、前記昇降ブロック４２の前端にはＵ型ブロック３７が固定され、前記Ｕ型ブロック３７の中には方形溝４３が設置され、前記方形溝４３の上下端壁には二つの弾性溝５７が対称的に設置され、下側の前記弾性溝５７の下端壁には弾性撥条５６が固定され、前記弾性撥条５６の上端には弾性ブロック３８が固定され、右側の前記横溝３６の右端壁には移動撥条３２が固定され、前記移動撥条３２の左端には前記横溝３６とスライドできるように連結された移動ブロック４８が固定され、前記移動ブロック４８の前端には垂直ブロック４６が固定され、前記垂直ブロック４６の前端面には斜め棒４７が回転できるように設置され、二つの前記斜め棒４７の間が回転できるように連結され且ついずれも前記Ｕ型ブロック３７の前端面と回転できるように連結され、前記垂直ブロック４６の下端面にはロープ４９が固定され、左側の前記ロープ４９と前記支持ブロック３３の上端面とが固定されており、右側の前記ロープ４９と前記回転ブロック３１の上端面とが固定されている。
【００１５】
以下、付図１−５及び上記の本願発明の収納できるＵＳＢ扇風機の具体的な構造を参考してその使い方を詳しく説明する：
【００１６】
ＵＳＢ扇風機を使う時、支持ブロック３３と回転ブロック３１とを回転させ、フック棒５１を動かして環状ブロック３４を引っ掛けて三角形に形成して支持し、支持ブロック３３と回転ブロック３１とがロープ４９によって垂直ブロック４６を引っ張って相互に離れさせ、Ｕ型ブロック３７を降下連動させ、それにより下側の弾性ブロック３８をラチェット３９から離脱させ、ラチェット３９が上側の弾性ブロック３８のところに運動し、この時、ＵＳＢコネクタ１８を引っ張ってＵＳＢ端子に差し込んで扇風機モーター１６に電力を提供し、それにより羽根１４を回転させる；
【００１７】
ＵＳＢ扇風機を持ち歩く時、ＵＳＢコネクタを抜き、フック棒５１を環状ブロック３４の中から離脱させ、ラチェット３９を連動させて下側の弾性ブロック３８のところに運動させ、上側の弾性ブロック３８がラチェット３９から離脱し、この時反方向に線収納ブロック２８を回し、駆動歯車３０と従動歯車２６との噛合によってリール２３を連動させてＵＳＢケーブル２７を巻き、ＵＳＢコネクタ１８を引き戻す。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。